(57)【要約】【課題】撮影作業及び編集作業を大幅に軽減し、誰もが簡単に各種シチュエーションに即したダイジェストムービーを制作できるようにする。【解決手段】撮影者側から入力されるシチュエーション情報を基に特定されたダイジェストムービーテンプレートに示された撮影ガイド情報を撮影者側に提供し、これに従って撮影者側から入力される撮影データと、撮影ガイド情報に示されたダイジェストムービー時間情報とを対応付けたダイジェスト撮影データを取得し、一方、ダイジェストムービーテンプレートに示された編集ガイド情報に従って取得される各編集データと、編集ガイド情報に示されたダイジェストムービー時間情報とを対応付けたダイジェスト編集データを取得し、ダイジェスト撮影データ及びダイジェスト編集データを合成してダイジェストムービーデータを取得する。【選択図】図２
2009253963.tif 000002
【特許請求の範囲】
【請求項１】
撮影者側から入力されるシチュエーション情報を基にダイジェストムービーテンプレートを特定する工程と、
当該ダイジェストムービーテンプレートに示された撮影ガイド情報に従って撮影者側から入力される撮影データと、前記撮影ガイド情報に示されたダイジェストムービー時間情報とを対応付けたダイジェスト撮影データを取得する工程と、
前記ダイジェストムービーテンプレートに示された編集ガイド情報に従って取得される各編集データと、前記編集ガイド情報に示されたダイジェストムービー時間情報とを対応付けたダイジェスト編集データを取得する工程と、
前記ダイジェスト撮影データ及び前記ダイジェスト編集データを合成してダイジェストムービーデータを取得する工程と、を有することを特徴とするダイジェストムービー制作方法。
【請求項２】
撮影者側から入力されるシチュエーション情報を基にダイジェストムービーを制作するダイジェストムービーテンプレートを特定するダイジェストムービーテンプレート特定処理部と、
当該ダイジェストムービーテンプレートに示された撮影ガイド情報に従って撮影者側から入力される撮影データと、前記撮影ガイド情報に示されたダイジェストムービー時間情報とを対応付けたダイジェスト撮影データを取得するダイジェスト撮影データ取得処理部と、
前記ダイジェストムービーテンプレートに示された編集ガイド情報に従って取得される各編集データと、前記編集ガイド情報に示されたダイジェストムービー時間情報とを対応付けたダイジェスト編集データを取得するダイジェスト編集データ取得処理部と、
前記ダイジェスト撮影データ及び前記ダイジェスト編集データを合成してダイジェストムービーデータを取得するダイジェストムービーデータ合成処理部と、を備えたことを特徴とするダイジェストムービー制作装置。
【請求項３】
撮影者側から入力されるシチュエーション情報を基にダイジェストムービーを制作するダイジェストムービーテンプレートを特定するステップと、
当該ダイジェストムービーテンプレートに示された撮影ガイド情報に従って撮影者側から入力される撮影データと、前記撮影ガイド情報に示されたダイジェストムービー時間情報とを対応付けたダイジェスト撮影データを取得するステップと、
前記ダイジェストムービーテンプレートに示された編集ガイド情報に従って取得される各編集データと、前記編集ガイド情報に示されたダイジェストムービー時間情報とを対応付けたダイジェスト編集データを取得するステップと、
前記ダイジェスト撮影データ及び前記ダイジェスト編集データを合成してダイジェストムービーデータを取得するステップと、をコンピュータに実行させることを特徴とするダイジェストムービー制作プログラム。
【請求項４】
前記ダイジェストムービーデータに対する編集処理が規定されたダイジェストムービー編集処理情報に従って、前記ダイジェストムービーデータの編集処理を行うステップを有することを特徴とする請求項３に記載のダイジェストムービー制作プログラム。
【請求項５】
前記撮影ガイド情報は、撮影場面毎に行われる撮影操作について予め撮影手法を学ばせるシミュレーションムービーデータを有することを特徴とする請求項４に記載のダイジェストムービー制作プログラム。
【請求項６】
前記撮影ガイド情報は、撮影場面毎に行われるズーム、パン、チルトの撮影操作について案内するデータを有することを特徴とする請求項５または６に記載のダイジェストムービー制作プログラム。
【請求項７】
請求項５または６に記載のダイジェストムービー制作プログラムを格納したことを特徴とする撮影装置。
【請求項８】
請求項５または６に記載のダイジェストムービー制作プログラムを格納したことを特徴とする記憶装置。
【発明の詳細な説明】
【技術分野】
【０００１】
本発明は、デジタルビデオカメラやデジタルスチルカメラ等の撮影装置（以下、撮影装置という）を用いて撮影される、映像及び音声を有する撮影データ（以下、撮影データという）を用いてダイジェストムービーを制作するダイジェストムービー制作方法、制作装置及び制作プログラム、ならびに当該制作プログラムを記憶した撮影装置及び記憶装置に関する。
【背景技術】
【０００２】
撮影装置は、例えば誕生日会、クリスマス、結婚式等の行事（以下、イベントという）や、風景、季節、ペット、人物、建造物等の題材（以下、テーマという）を決めて撮影する時に用いられている。近年、撮影装置は、その機能や記憶画質等が大幅に向上し、家庭用のものでも十分に高精度な撮影データを撮影、記憶できるようになった。
【０００３】
一方、長時間の撮影データの視聴は、親しい友人や家族にとっても退屈なものである。撮影者は撮影データの編集を行い、短時間で視聴できるダイジェストムービーを制作することにより作品の質を高め、視聴が退屈なものにならないようにしている。例えば、撮影者は、撮影装置を用いて撮影、記憶された撮影データを再生してみて、使えそうな映像部分のカットイン及びカットアウトに相当する撮影データの時間情報をノート等に書き記しておき、これに該当する映像部分を編集装置を用いて抽出し、つなぎ合わせる等することによりダイジェストムービーを制作している。ダイジェストムービーの制作を軽減するものとして、例えば下記の特許文献１には、一連の記憶された撮影データから予め設定した意味を持つ映像条件に該当する撮影データを抽出するものについて開示されている。
【特許文献１】特開平０５−２９０５４９号公報
【０００４】
また、文字や絵図等の合成編集、パン、チルト、ズーム等のエフェクト効果、ぼかし、モザイク、明るさ調節、シャープ化等の特殊効果を施すソフトウエアが比較的廉価なものとなり、撮影者が素人でも撮影データに対する様々な編集が簡単にできるようになった。
【発明の開示】
【発明が解決しようとする課題】
【０００５】
しかしながら、撮影作業や編集作業は、経験の積み重ねによるところがあり、各種イベントやテーマ等のシチュエーション（以下、各種シチュエーションという）によって、撮影手法及び編集手法もそれぞれ異なってくる。すなわち、「撮影すべき場面」、「撮影場面の適切な撮影操作」、「編集すべき場面」、「編集場面の適切な編集操作」のノウハウを知らなければ適切な撮影作業や編集作業を行うことができず、これらの作業に長時間の労力を費やしているにもかかわらず、各種シチュエーションに即したダイジェストムービーが制作されないという問題がある。例えば、「子供の誕生日会」を撮影する場合、撮影時に「誕生日の主役である子供のコメント」を撮り忘れることや、「ケーキの上にさしたろうそくの火を消す場面」で不適切な撮影操作を行うことがある。また、編集時に「母親が料理を作っている場面」をつなぎ合わせてダイジェストムービー全体のまとまりが悪くなることや、撮影データに対してセンスの悪い編集を行うことがある。
【０００６】
本発明は、こうした問題に着目し、撮影作業及び編集作業を大幅に軽減し、誰もが簡単に各種シチュエーションに即したダイジェストムービーを制作できる、ダイジェストムービー制作方法、制作装置及び制作プログラム、ならびに当該制作プログラムを記憶した撮影装置及び記憶装置を提供することを目的とする。
【課題を解決するための手段】
【０００７】
本発明の解決しようとする課題は上記のとおりであり、次にこの課題を解決するための手段とその効果を説明する。本発明は、撮影者側から入力されるシチュエーション情報を基に特定されたダイジェストムービーテンプレートに示された撮影ガイド情報を撮影者側に提供し、これに従って撮影者側から入力される撮影データと、撮影ガイド情報に示されたダイジェストムービー時間情報とを対応付けたダイジェスト撮影データを取得し、一方、ダイジェストムービーテンプレートに示された編集ガイド情報に従って取得される各編集データと、編集ガイド情報に示されたダイジェストムービー時間情報とを対応付けたダイジェスト編集データを取得し、ダイジェスト撮影データ及びダイジェスト編集データを合成してダイジェストムービーデータを取得する。
【発明の効果】
【０００８】
上記のとおり、本発明によれば、撮影者側は、ダイジェストムービーテンプレートを特定するためのシチュエーション情報を入力し、これにより特定されたダイジェストムービーテンプレートに示された撮影ガイド情報に従って撮影を行うことにより、当該シチュエーションに即したダイジェストムービーデータを取得できる。これにより、撮影者側の撮影作業及び編集作業を大幅に軽減し、誰もが簡単に各種シチュエーションに即したダイジェストムービーを制作できる。
【発明を実施するための最良の形態】
【０００９】
以下、図面を用いて本発明の一実施の形態を説明する。図１は、撮影装置の内部に備えられた主要な構成を示したブロック図である。本実施の形態の撮影装置１００は、プログラム格納部１０４にダイジェストムービー制作プログラムを記憶し、各種データ記憶部１０５にダイジェストムービー制作プログラムを実行した場合に用いる各種データを記憶している。指示情報入力部１０１は、撮影装置１００外側に設けられたメニューボタン、文字入力キー、方向指示キーまたは決定キー等が操作されることにより各種指示情報を入力するインターフェースである。表示情報出力部１０２は、撮影データの表示や、リアルタイムに撮影中の映像を表示する電子ビューファインダ（ＥＶＦ）機能を有する液晶表示画面に対して各種表示情報を出力するインターフェースである。撮影情報入力部１０３は、撮影装置１００外側に設けられた撮影ボタンが操作されることにより、光学レンズやＣＣＤ（Charge Coupled Device）イメージセンサ及び集音マイク等を介して入力される撮影データ、撮影装置１００外側に設けられたズームボタンが操作されることにより検出されるズーム信号、撮影装置１００に設けられた角速度センサにより検出されるパン量やチルト量を示す信号等、撮影操作により得られる各種撮影情報を入力するインターフェースである。プログラム格納部１０４は、主演算部１０６によって実行される各種プログラムを格納するハードディスク等の記憶装置である。各種データ記憶部１０５は、主演算部１０６によって実行される各種プログラムを実行した時に使用される各種データを記憶するハードディスク等の記憶装置である。主演算部１０６は、プログラム格納部１０４に格納された各種プログラムに記述された数値計算や情報処理を実行するＣＰＵである。
【００１０】
撮影者は、撮影装置１００外側に設けられたメニューボタンを操作することにより液晶表示画面に表示される撮影モードの選択を促す画面に対して撮影モードを選択する。液晶表示画面には「通常撮影モード」、「ダイジェストムービー制作モード」の何れかの選択を促す画面が表示され、撮影者は、撮影装置１００外側に設けられた方向指示キー、決定キー等を用いて撮影モードを選択する。これにより指示情報入力部１０１にはモード選択情報が入力され、主演算部１０６は指示情報入力部１０１に入力されたモード選択情報に該当するプログラムをプログラム格納部１０４に格納された各種プログラムの中から取得し、実行する。通常撮影モードは、従来通り、通常の撮影により得られる撮影データを記憶していく形態であり、これが撮影者により選択されると、主演算部１０６はプログラム格納部１０４に格納された通常撮影プログラムを実行する。一方、ダイジェストムービー制作モードは、各種シチュエーションに即したダイジェストムービーを制作する形態であり、これが撮影者により選択されると、主演算部１０６はプログラム格納部１０４に格納されたダイジェストムービー制作プログラムを実行する。本実施の形態では、撮影者がダイジェストムービー制作モードを選択した場合について説明する。
【００１１】
図２は、ダイジェストムービー制作プログラムを実行した時のプログラム格納部１０４内の処理及び各種データ記憶部１０５内の各種データ記憶部をブロックにより示した図である。図３は、ダイジェストムービー制作プログラムを実行した時の処理の流れを示したフロー図である。ステップ３０１において、シチュエーション情報取得処理部２０１は、シチュエーション情報の入力を促すシチュエーション情報入力画面を生成し、表示情報出力部１０２を介して液晶表示画面に表示する。これに対して撮影者は、撮影装置１００外側に設けられた文字入力キー、方向指示キー、決定キー等を用いて自身が撮影を行うシチュエーション情報について入力する操作を行う。例えば、撮影者が「子供の誕生日会」を撮影する場合において、図４に示すようなシチュエーション情報入力画面が液晶表示画面に表示され、撮影者は文字入力キーを用いて「誕生日会」を入力する操作を行う。この操作により指示情報入力部１０１にはシチュエーション情報が入力され、シチュエーション情報取得処理部２０１は、シチュエーション情報を取得する。なお、シチュエーション情報入力画面は、各種シチュエーションについて文字や絵図等により表示したものでも良く、この場合、撮影者は方向指示キー、決定キー等を用いて「誕生日会」の文字や絵図等を選択する操作を行う。
【００１２】
つづいてステップ３０２において、ダイジェストムービーテンプレート特定処理部２０２は、ステップ３０１で取得したシチュエーション情報に該当するダイジェストムービーテンプレートのリストをダイジェストムービーテンプレート記憶部３０１から取得し、ダイジェストムービーテンプレートの選択を促すテンプレート選択画面を生成し、表示情報出力部１０２を介して液晶表示画面に表示する。例えば、図５に示すように、撮影者が入力した「誕生日会」に該当するダイジェストムービーテンプレートが４件あった場合、ダイジェストムービーテンプレートの作成者名やダイジェストムービー全体の時間情報を示したリストが液晶表示画面に表示される。さらに、各リスト上にカーソルを合わせることにより、例えば、「ドラマ風、主観的、近景中心、ローアングル中心等」の作風や、各ダイジェストムービーテンプレートの後述する撮影ガイド情報や編集ガイド情報の内容等がポップアップ表示される。これに対して撮影者は、撮影装置１００外側に設けられた方向指示キー、決定キー等を用いて自身が使用するダイジェストムービーテンプレートを選択する操作を行う。この操作により指示情報入力部１０１にはダイジェストムービーテンプレート選択情報が入力され、ダイジェストムービーテンプレート特定処理部２０２は、ダイジェストムービーテンプレートを特定する。
【００１３】
ここでダイジェストムービーテンプレートについて説明する。図６はダイジェストムービーテンプレートを構成する各情報をブロックにより示した図である。図６に示すように、ダイジェストムービーテンプレートは、撮影ガイド情報、編集ガイド情報、及びダイジェストムービーテンプレート識別情報が対応付けられている。撮影ガイド情報は、ダイジェストムービーに当て嵌められる各撮影データを取得するための撮影操作について規定した情報であり、ここでいう撮影データは、動画データ以外に静止画データも想定している。編集ガイド情報は、ダイジェストムービーに当て嵌められる各編集データの取得先について規定した情報である。ダイジェストムービーテンプレート識別情報は、ダイジェストムービーテンプレートを一意に識別する情報である。ダイジェストムービーテンプレートは、各種シチュエーション別に「撮影すべき場面」、「撮影場面の適切な撮影操作」、「編集すべき場面」、「編集場面の適切な編集操作」のノウハウを熟知している専門家またはこれらのノウハウを記述した文献等の解析により作成される。
【００１４】
つづいて撮影ガイド情報について説明する。図７（ａ）は撮影ガイド情報を構成する各情報をブロックにより示した図である。図７（ｂ）は撮影ガイド情報をイメージにより示した図である。図７（ａ）に示すように、撮影ガイド情報は、撮影場面情報、撮影操作情報、撮影操作支援情報、及びダイジェストムービー時間情報が対応付けられている。撮影場面情報は、ダイジェストムービーにおいて予め規定された内容の撮影データを取得する場面について規定した情報である。例えば、誕生日会を例にすると、撮影場面情報は、「子供がケーキの上にさしたろうそくの火を消す場面」、「子供が両親からプレゼントをもらう場面」、「家族みんなで食事をしている場面」、「誕生日会が終わる頃の場面」等がある。撮影操作情報は、撮影場面毎に予め規定された内容の撮影データを取得するための撮影操作について規定した情報である。例えば、「子供がケーキの上にさしたろうそくの火を消す場面」において、はじめの約３０秒間はテーブルの周りに座っている家族全員の映像をアングル固定した状態で撮影し、その後の約２０秒間は子供とケーキを中心にズームアップして撮影し、終りの約１０秒間に子供から「○○歳になったよ」等のコメントをもらうといった内容について示されている。撮影操作支援情報は、撮影場面毎に予め規定された内容の撮影データを取得するため、撮影場面毎に撮影を行う前に撮影操作を撮影者に学ばせるシミュレーションムービーデータや、撮影操作の判定に用いるズーム信号値やパン量やチルト量を示す信号値等の各種操作信号値を時系列で示す撮影操作判定情報を備えている。ダイジェストムービー時間情報は、撮影場面毎にダイジェストムービーに当て嵌める時間について規定した情報である。例えば、「子供がケーキの上にさしたろうそくの火を消す場面」に対応付けられたダイジェストムービー時間情報が「００：００：３０〜００：０１：３０」と示されている場合、当該撮影データはダイジェストムービーの３０秒から１分３０秒において使用されることを示している。なお、撮影場面毎の撮影時間は、ダイジェストムービー時間情報の開始時間と終了時間の差分により求められる。つまり、この場面の撮影時間は１分である。また、ダイジェストムービー時間情報の開始時間と終了時間については、撮影データのフレームインやフレームアウト等の部分について考慮しても良い。
【００１５】
次に編集ガイド情報について説明する。図８（ａ）は編集ガイド情報を構成する各種情報をブロックにより示した図である。図８（ｂ）は編集ガイド情報をイメージにより示した図である。図８（ａ）に示すように、編集ガイド情報は、編集場面情報、編集データ取得先情報、及びダイジェストムービー時間情報が対応付けられている。編集場面情報は、ダイジェストムービーにおいて予め規定された内容の編集データを当て嵌める場面について規定した情報であり、撮影データが使用される部分の他、その前後の部分もある。編集データ取得先情報は、編集場面毎に予め規定された内容の編集データを取得するための編集データの取得先等について規定した情報である。例えば、ダイジェストムービーにおいて「子供がケーキの上にさしたろうそくの火を消す場面」の前後の部分に当て嵌められる編集データの取得先が示されている。なお、ここでいう編集データとは文字や絵図、音声等の合成編集可能なデータを示し、ぼかし、モザイク、明るさ調節、シャープ化等の特殊効果や、パン、チルト、ズーム等のエフェクト効果を映像自体に施すものとは異なる。ダイジェストムービー時間情報は、編集場面毎にダイジェストムービーに当て嵌める時間について規定した情報である。例えば、「子供がケーキの上にさしたろうそくの火を消す場面」の前の場面に対応付けられたダイジェストムービー時間情報が「００：００：００〜００：００：３０」と示されている場合、当該編集データはダイジェストムービーの０秒から３０秒において使用されることを示している。
【００１６】
ステップ３０３において、撮影場面取得処理部２０３は、ステップ３０２で特定したダイジェストムービーテンプレートの撮影ガイド情報を取得し、撮影ガイド情報に備えられた撮影場面のリストの選択を促す撮影場面選択画面を生成し、表示情報出力部１０２を介して液晶表示画面に表示する。例えば、図９に示すような撮影ガイド情報の撮影場面選択画面が表示される。これに対して撮影者は、撮影装置１００外側に設けられた方向指示キー、決定キー等を用いて撮影場面選択画面から自身が撮影を行う場面を選択する操作を行う。なお、撮影場面の選択は順次上位から行わなくても良く、シチュエーションに応じて任意に選択できる。例えば、誕生日会において「ケーキの上にさしたろうそくの火を消す場面」よりも前に「子供が両親からプレゼントをもらう場面」が先になりそうな場合、実際のシチュエーションに応じて任意に選択できる。この操作により指示情報入力部１０１には撮影場面選択情報が入力され、撮影場面取得処理部２０３は、撮影場面情報を取得する。
【００１７】
つづいて撮影場面取得処理部２０３は、取得した撮影場面情報に対応付けられた撮影操作支援情報を取得し、撮影操作支援情報に備えられたシミュレーションムービーデータの視聴を促すシミュレーションムービーデータ視聴選択画面を生成し、表示情報出力部１０２を介して液晶表示画面に表示する。例えば、「子供がケーキの上にさしたろうそくの火を消す場面」が選択された場合、図１０に示すようなシミュレーションムービーデータ視聴選択画面が液晶表示画面に表示される。これに対して撮影者は、撮影装置１００外側に設けられた方向指示キー、決定キー等を用いてシミュレーションムービーデータの視聴を選択する操作を行う。この操作によりシミュレーションムービーデータの視聴を行う選択がされた場合、指示情報入力部１０１にはダイジェストムービー視聴要求が入力され、撮影場面取得処理部２０３は、表示情報出力部１０２を介して液晶表示画面にシミュレーションムービーデータを再生する。
【００１８】
ここでシミュレーションムービーデータについて説明する。シミュレーションムービーデータは、各ダイジェストムービーテンプレートに示される撮影場面情報を基に想定される撮影場面において、撮影操作情報に従って予め撮影された撮影データと、この時の撮影操作について説明する操作説明データとを合成したデータである。例えば、「子供がケーキの上にさしたろうそくの火を消す場面」のシミュレーションムービーデータは、誕生日会のダイジェストムービーテンプレートに示される「子供がケーキの上にさしたろうそくの火を消す場面」について想定される場面において撮影操作情報に従って予め撮影された撮影データと、この時の撮影操作について説明する操作説明データとが合成されている。撮影者はシミュレーションムービーデータを視聴することにより、選択した撮影場面をどのように撮影するのか疑似体験し、撮影手法を学ぶことができるので、実際に撮影を行う時に、撮影操作情報に従った撮影を簡単に行うことができる。なお、シミュレーションムービーデータは、予め撮影した映像を用いる代わりにアニメーションを用いても良く、また、この他に、文字や絵図等のデータを併用しても良い。
【００１９】
その後、撮影場面取得処理部２０３は、シミュレーションムービーデータの再生終了またはシミュレーションムービーデータの視聴を行わない選択がされた場合、当該撮影場面情報に対応付けられた撮影操作情報を取得し、表示情報出力部１０２を介して液晶表示画面に撮影操作情報のリスト及び撮影待機状態である旨を表示する。例えば、「はじめの３０秒間はテーブルの周りに座っている家族全員の映像がアングル固定して撮影」、「その後の２０秒間は子供とケーキを中心にズームアップして撮影」、「終りの１０秒間に「○○歳になったよ」等のコメントを子供からもらう」といったリストと、待機状態である旨を表示する。その後、撮影者は、実際のシチュエーションが、選択した撮影場面になったことを判断することにより撮影を開始し、液晶表示画面に表示される撮影中の映像、撮影開始に従ってカウントされる撮影場面の残り撮影時間、及び撮影操作情報を確認しながら撮影を行っていく。例えば誕生日会において、「子供がケーキの上にさしたろうそくの火を消す場面」になったことを判断することにより、撮影を行っていく。
【００２０】
ステップ３０４において、撮影データ取得処理部２０４は、ステップ３０３で取得した撮影場面情報を基に、撮影データの取得処理を行う。撮影場面情報において複数の撮影操作情報がそれぞれの表示時間情報と対応付けられている場合、撮影データ取得処理部２０４は、実際の時間を基に表示時間情報に対応付けられた現在の撮影操作情報やその次の撮影操作情報を取得し、表示情報出力部１０２を介して液晶表示画面に表示する。例えば、図１１に示すように、「子供がケーキの上にさしたろうそくの火を消す場面（１分）」を撮影する場合において、現在の撮影操作情報として「家族全員の映像を撮影」や「アングル固定」、次の撮影操作情報として「子供とケーキを中心にズームアップして撮影」を、それぞれ「００：００：００〜００：００：３０」の時間情報と対応付けておくことにより、実際の撮影において撮影開始から３０秒間は、現在の撮影情報として「家族全員の映像を撮影」、「アングル固定」、次の撮影情報として「子供とケーキを中心にズームアップして撮影」を液晶表示画面に表示させる。これにより撮影者は、撮影中に表示される撮影操作情報に従って正確な撮影操作を行うことができる。この操作により撮影情報入力部１０３には撮影データ及び各種操作信号情報が入力され、撮影データ取得処理部２０４は、撮影場面情報に対応付けられた撮影操作情報に従って撮影された撮影データ及び各種操作信号情報を取得する。
【００２１】
ステップ３０５において、撮影操作判定処理部２０５は、ステップ３０４で取得した各種操作信号情報を時系列で表した信号値と、当該撮影場面情報に対応付けられた撮影操作支援情報を取得し、当該撮影操作支援情報に備えられた撮影操作判定情報との比較により、撮影操作が正しく行われたか否かについて判定する。例えば、「子供がケーキの上にさしたろうそくの火を消す場面」において「００：００：３１〜００：００：５０」において撮影操作判定情報のズーム信号値の範囲が規定されている場合において、その時間に該当するズーム信号値が取得されなかったときや、取得したズーム信号値が撮影操作判定情報のズーム信号値の範囲外であるとき、当該撮影場面の撮影操作に規定されたズーム操作が正しく行われなかったと判定される。撮影操作判定処理部２０５は、選択された撮影場面の撮影操作が正常でないと判定した場合、再度の撮影を促す画面を生成し、図１２に示すように、表示情報出力部１０２を介して液晶表示画面に表示する。これに対して撮影者は、撮影装置１００外側に設けられた方向指示キー、決定キー等を用いて再度の撮影を行うか否かについて判断し、再度の撮影を行う場合は、ステップ３０４の処理を上記と同様にして行う。一方、撮影操作判定処理部２０５は、選択された撮影場面の撮影操作が正常であると判定した場合、ステップ３０４で取得した撮影データをダイジェスト撮影データ取得処理部２０６に入力する。なお、撮影操作判定処理部２０５は、選択された撮影場面の撮影操作が正常でないと判定した場合でも、再度の撮影が行われない時は、ステップ３０４で取得した撮影データをダイジェスト撮影データ取得処理部２０６に入力しても良い。
【００２２】
ステップ３０６において、ダイジェスト撮影データ取得処理部２０６は、ステップ３０５において撮影操作判定処理部２０５による判定処理後、選択された一つの撮影場面情報に対して撮影された撮影データを取得する。残りの各撮影場面情報についてもステップ３０３および３０４の処理を行うことにより、ダイジェスト撮影データ取得処理部２０６は、撮影ガイド情報に示される全ての撮影場面情報に対して撮影された各撮影データを取得し、当該撮影場面情報に対応付けられたダイジェストムービー時間情報及びダイジェストムービーテンプレート識別情報と対応付けることによりダイジェスト撮影データを取得し、これをダイジェスト撮影データ記憶部３０２に記憶する。図１３（ａ）はダイジェスト撮影データを構成する各情報をブロックにより示した図である。図１３（ｂ）はダイジェスト撮影データをイメージにより示した図である。図１３に示すように、ダイジェスト撮影データは、ダイジェストムービーテンプレートの撮影ガイド情報において撮影場面情報毎に規定された撮影操作情報に従って撮影した各撮影データを、撮影場面情報毎に規定されたダイジェストムービー時間情報及びダイジェストムービーテンプレート識別情報と対応付けている。
【００２３】
一方、ダイジェスト編集データ記憶部３０４は、予めダイジェスト編集データを記憶している。ダイジェスト編集データは、ダイジェストムービーテンプレートの編集ガイド情報において編集場面情報毎に編集内容情報が規定され、当該編集内容情報に該当する編集データが編集データ記憶部３０３において記憶された時点で取得可能であり、ダイジェストムービー制作プログラムを実行する前から記憶しておくことができる。図１４（ａ）はダイジェスト編集データを構成する各情報をブロックにより示した図である。図１４（ｂ）はダイジェスト編集データをイメージにより示した図である。図１４に示すように、ダイジェスト編集データは、ダイジェストムービーテンプレートの編集ガイド情報において編集場面情報毎に規定された編集内容情報に従って取得した各編集データを、編集場面情報毎に規定されたダイジェストムービー時間情報及びダイジェストムービーテンプレート識別情報と対応付けている。ステップ３０７において、ダイジェスト編集データ取得処理部２０７は、ステップ３０２において特定したダイジェストムービーテンプレートに示されるダイジェストムービーテンプレート識別情報を基に、当該識別情報に該当するダイジェスト編集データをダイジェスト編集データ記憶部３０４から取得する処理を行う。なお、ダイジェストムービー制作プログラムを実行し、ダイジェストムービーテンプレートを特定した時点で、当該ダイジェストムービーテンプレートの編集ガイド情報において編集場面情報毎に規定された編集内容情報に従って編集データ記憶部３０３に記憶された各種編集データから該当する編集データを取得し、編集場面情報毎に規定されたダイジェストムービー時間情報及びダイジェストムービーテンプレート識別情報と対応付けることにより取得、記憶することもできる。また、本実施の形態で示したダイジェスト編集データは、ダイジェストムービーにおいて各編集場面情報が重ならないものとしているが、複数の編集場面情報が重なっても良い。例えば、ダイジェストムービー全体に対して一つの音楽データを用いるとともに、ある部分において編集データを組み合わせることは適宜に可能である。
【００２４】
つづいてステップ３０８において、ダイジェストデータ合成処理部２０８は、ステップ３０５で取得したダイジェスト撮影データ、およびステップ３０６で取得したダイジェスト編集データを取得し、これらの合成処理を行ってダイジェストムービーデータを取得する。合成処理は、ダイジェスト撮影データ、およびダイジェスト編集データにそれぞれ示されたダイジェストムービーテンプレート識別情報を基に取得し、文字や絵図等の合成編集可能なデータを合成編集するソフトウエアを用いて合成編集される。ダイジェストムービーデータは、ダイジェスト撮影データ、ダイジェスト編集データ、及びダイジェストムービーテンプレート識別情報が対応付けられている。図１５はダイジェストムービーデータをイメージにより示した図である。
【００２５】
ステップ３０９において、ダイジェストムービーデータ編集処理部２０９は、ステップ３０８で取得したダイジェストムービーデータについて、予めダイジェストムービー編集処理情報記憶部３０５に記憶されたダイジェストムービー編集処理情報を用いてダイジェストムービーデータ自体の編集処理を行う。ダイジェストムービー編集処理情報は、ダイジェストムービーに対して施す編集処理の内容を、ダイジェストムービー時間情報、及びダイジェストムービーテンプレート識別情報と対応付けている。ここでいう編集処理内容とは、ぼかし、モザイク、明るさ調節、シャープ化等の特殊効果や、パン、チルト、ズーム等のエフェクト効果を映像自体に施す情報を示し、文字や絵図等を合成編集する上述した編集データとは異なる。ダイジェストムービーデータ編集処理部２０９は、ダイジェストムービーデータに示されるダイジェストムービーテンプレート識別情報を基に、これに該当するダイジェストムービー編集処理情報及びダイジェストムービー時間情報をダイジェストムービー編集処理情報記憶部３０５から取得し、ダイジェストムービーデータ自体の編集処理を時間情報に従って行う。その後、ダイジェストムービーデータ編集処理部２０９は、得られたダイジェストムービーデータをダイジェストムービーデータ記憶部３０６に記憶する。以上により、ダイジェストムービー制作プログラムは終了する。
【００２６】
以上、本実施の形態の説明からも明らかなように、撮影者側は、ダイジェストムービーテンプレートを特定するためのシチュエーション情報を入力し、これにより特定されたダイジェストムービーテンプレートに示された撮影ガイド情報に従って撮影を行うことにより、「撮影すべき場面」、「撮影場面の適切な撮影操作」、「編集すべき場面」、「編集場面の適切な編集操作」のノウハウを知らなくても、当該シチュエーションに即したダイジェストムービーデータを取得できる。これにより、撮影者側の撮影作業及び編集作業を大幅に軽減し、誰もが簡単に各種シチュエーションに即したダイジェストムービーを制作できる。
【産業上の利用可能性】
【００２７】
なお、本発明は、撮影装置以外に、パソコン、携帯電話、携帯情報端末、インターネットを介して接続されるサーバ等の記憶装置に用いることも可能である。
【００２８】
また、本発明は、撮影装置や記憶装置の残り記憶容量に応じて、制作するダイジェストムービーデータの形式を推奨することも可能である。例えば、撮影装置や記憶装置の残り記憶容量が少ない場合は、静止画データを多く含んだダイジェストムービーデータの制作を推奨し、一方、残り記憶容量に余裕がある場合は、動画データを多く含んだダイジェストムービーデータの制作を推奨すること等が可能である。
【００２９】
さらに、本発明は、あるダイジェストムービーテンプレートに示された撮影ガイド情報に従って撮影者側から入力された撮影データを記憶しておくことにより、この撮影データを他のダイジェストムービーデータの制作に再使用することも可能である。
【００３０】
その他、本発明は、実施の形態の説明の範囲に限定されるものではなく、その要旨を逸脱しない範囲で適宜に設計可能である。
【図面の簡単な説明】
【００３１】
【図１】本発明のダイジェストムービー制作プログラムを備えた撮影装置内部の主要な構成をブロックにより示した図
【図２】本発明のダイジェストムービー制作プログラムの処理をブロックにより示した図
【図３】本発明のダイジェストムービー制作プログラムの処理をフローにより示したフロー図
【図４】シチュエーション情報入力画面の一例を示した図
【図５】ダイジェストムービーテンプレート選択画面の一例を示した図
【図６】ダイジェストムービーテンプレートを構成する各情報を示した図
【図７】撮影ガイド情報を構成する各情報（ａ）と、撮影ガイド情報のイメージ（ｂ）を示した図
【図８】編集ガイド情報を構成する各情報（ａ）と、編集ガイド情報のイメージ（ｂ）を示した図
【図９】撮影場面選択画面の一例を示した図
【図１０】シミュレーションムービーデータ視聴選択画面の一例を示した図
【図１１】撮影データの取得処理を行う際に表示される画面の一例を示した図
【図１２】撮影操作が正常でないと判定された場合に表示される再度の撮影を促す画面の一例を示した図
【図１３】ダイジェスト撮影データを構成する各情報（ａ）と、ダイジェスト撮影データのイメージ（ｂ）を示した図
【図１４】ダイジェスト編集データを構成する各情報（ａ）と、ダイジェスト編集データのイメージ（ｂ）を示した図
【図１５】ダイジェストムービーデータのイメージを示した図
【符号の説明】
【００３２】
１００  撮影装置
１０１  指示情報入力部
１０２  表示情報出力部
１０３  撮影情報入力部
１０４  プログラム格納部
１０５  各種データ記憶部
１０６  主演算部
２０１  シチュエーション情報取得処理部
２０２  ダイジェストムービーテンプレート特定処理部
２０３  撮影場面取得処理部
２０４  撮影データ取得処理部
２０５  撮影操作判定処理部
２０６  ダイジェスト撮影データ取得処理部
２０７  ダイジェスト編集データ取得処理部
２０８  ダイジェストデータ合成処理部
２０９  ダイジェストムービーデータ編集処理部
３０１  ダイジェストムービーテンプレート記憶部
３０２  ダイジェスト撮影データ記憶部
３０３  編集データ記憶部
３０４  ダイジェスト編集データ記憶部
３０５  ダイジェストムービー編集処理情報記憶部
３０６  ダイジェストムービーデータ記憶部
【図１】
2009253963.tif 000003
【図２】
2009253963.tif 000004
【図３】
2009253963.tif 000005
【図４】
2009253963.tif 000006
【図５】
2009253963.tif 000007
【図６】
2009253963.tif 000008
【図７】
2009253963.tif 000009
【図８】
2009253963.tif 000010
【図９】
2009253963.tif 000011
【図１０】
2009253963.tif 000012
【図１１】
2009253963.tif 000013
【図１２】
2009253963.tif 000014
【図１３】
2009253963.tif 000015
【図１４】
2009253963.tif 000016
【図１５】
2009253963.tif 000017